(57)【要約】      （修正有）【課題】建物の屋上に形成されたパラペットにアンテナ設置用の支持金具を十分に固定する。【解決手段】アンテナ設置用の支持金具３０は、縦断面が逆Ｕ字状の金具本体３１と、金具本体３１に立設された支柱金具３２と、を備える。この金具本体３１の各Ｌ字金具３３Ａ、３３Ｂの下端部の両サイドには、ナット３８ａが連装されている。このナット３８ａに押しボルト４０の軸部を螺入させるに従って、押え板３９が屋上のパラペットを把持し、支持金具３０がパラペットに取り付けられる。【選択図】図１
2018186440.tif 000002
【特許請求の範囲】
【請求項１】
建物の屋上に形成されたパラペットを利用してアンテナを設置するアンテナ支持金具であって、
縦断面逆Ｕ字状の金具本体と、
前記金具本体に立設された支柱金具と、
前記金具本体の各下端部の両サイドに固定されたナットと、
前記ナットに螺入する押しボルトと、
前記押しボルトを前記ナットに螺入させていくに従って前記パラペットを締め付けて把持する押え板と、
を備えることを特徴とするアンテナ設置用の支持金具。
【請求項２】
前記金具本体の各下端部の両サイドには、複数のナットが直列に連装されていることを特徴とする請求項１記載のアンテナ設置用の支持金具。
【請求項３】
前記金具本体と前記支柱金具とは、落下防止用のワイヤを挿通可能な孔部を備える
ことを特徴とする請求項１または２記載のアンテナ設置用の支持金具。
【請求項４】
前記金具本体は、一対のＬ字金具と、該両Ｌ字金具を連結するボルト・ナットとを備え、
前記各Ｌ字金具は、長手方向に沿って複数の連結孔が形成された水平部と、該水平部の一端から垂直に折曲形成された前記下端部とを備え、
前記両Ｌ字金具は、それぞれの前記連結孔に連通されたボルト軸部にナットを締結して連結され、
前記ボルト軸部を連通する前記連結孔を変更することにより、前記押え板間の距離を調整可能なことを特徴とする請求項１〜３のいずれか１項に記載のアンテナ設置用の支持金具。
【請求項５】
前記金具本体は、一対のＬ字金具を連結して構成され、
少なくとも一方の前記Ｌ字金具は、横断面Ｕ字状に形成され、底板の両端に立設された側板の長手方向に沿って複数の貫通孔が形成され、
前記支柱金具は、前記Ｌ字金具に対する取付用の取付孔が形成されたベースプレートと、
該ベースプレートに立設された支柱部とを備え、
前記ベースプレートは、前記貫通孔および前記取付孔に連通されたボルト軸部にナットを締結して前記Ｌ字金具に取り付けられ、
前記ボルト軸部に連通される前記取付孔を変更することにより、前記支柱金具の取付位置を調整可能なことを特徴とする請求項１〜３のいずれか１項に記載のアンテナ設置用の支持金具。
【発明の詳細な説明】
【技術分野】
【０００１】
本発明は、建物の屋上のパラペットを利用してアンテナを設置する支持金具に関する。
【背景技術】
【０００２】
特許文献１には屋上のパラペットを利用してアンテナを設置する技術が公知となっている。図１０に基づき概略を説明すれば、固定枠（支持金具）１は、逆Ｕ字状に形成された一対の枠対５ａ，５ｂと、両枠対５ａ，５ｂを連結して前面体１ａ，背面体１ｂを構成する連結片６ａ〜６ｃと、枠対５ａ，５ｂの下端部に螺設された圧接板（押え板）２ａ，２ｂと、を備えている。
【０００３】
この前面体１ａの連結片６ａ，６ｂは、アンテナ設置用マスト３を立設するマスト立設部８を備え、マスト立設部８はマスト保持具１３とボルト１４と挟持部材１５とを備えている。また、圧接板２ａの裏面中央にはボルト当接用の凹部２０が形成され、枠体５ａ，５ｂの各下端部にボルト２１が螺入するねじ孔が形成されている。
【０００４】
このような固定枠１をパラペットに設置する際は、まず圧接板２ａ，２ｂの間隔をパラペットの厚さより広く開き、つぎに圧接板２ａ，２ｂ間にパラペットを挿入するように固定枠１に被せる。
【０００５】
その後、ボルト２１を前記ねじ孔に螺入していくことで圧接板２ａをパラペット側に押し出し、圧接板２ｂと共にパラペットを把持する。また、マスト３をマスト立設部８に装着し、さらにマスト３にアンテナを取り付ける。
【先行技術文献】
【特許文献】
【０００６】
【特許文献１】特開２００１−２３７６２２
【発明の概要】
【発明が解決しようとする課題】
【０００７】
しかしながら、特許文献１の固定枠１は、圧接板２ａ，２ｂを押し込むボルト２１が片側、即ち正面側の枠体５ａ側にしか設けられていないため、パラペットの把持力が不十分であり、パラペットに十分に固定できない場合がある。
【０００８】
これにより例えば風雨や地震などで固定枠１の固定が解除され、アンテナが倒れるおそれがある。これでは建物周囲に危険性が生じ、また通信エリアなどに悪影響を与えるおそれがあった。
【０００９】
本発明は、このような従来の問題を解決するためになされ、パラペットにアンテナ設置用の支持金具を十分に固定することを解決課題としている。
【課題を解決するための手段】
【００１０】
本発明は、建物の屋上に形成されたパラペットを利用してアンテナを設置するアンテナ支持金具に関する。このアンテナ支持金具は、縦断面逆Ｕ字状の金具本体と、前記金具本体に立設された支柱金具と、前記金具本体の各下端部の両サイドに固定されたナットと、前記ナットに螺入する押しボルトと、前記押しボルトを前記ナットに螺入させていくに従って前記パラペットを締め付けて把持する押え板と、を備える。
【００１１】
本発明の一態様として、前記金具本体の各下端部の両サイドに複数のナットが直列に連装することもできる。また、前記金具本体と前記支柱金具とが落下防止用のワイヤを挿通可能な孔部を備えてもよい。
【００１２】
本発明の他の態様として、前記金具本体を一対のＬ字金具と、該両Ｌ字金具を連結するボルト・ナットとを備えて構成してもよい。この場合には前記各Ｌ字金具は、長手方向に沿って複数の連結孔が形成された水平部と、該水平部の一端から垂直に折曲形成された前記下端部とを備える。
【００１３】
したがって、前記両Ｌ字金具は、それぞれの前記連結孔に連通されたボルト軸部にナットを締結して連結される。このボルト軸部を連通する前記連結孔を変更することにより、前記押え板間の距離を調整可能とすることが好ましい。
【００１４】
本発明のさらに他の態様として、前記金具本体を一対のＬ字金具を連結して構成してもよい。この場合に一方の前記Ｌ字金具は、横断面Ｕ字状に形成され、底板の両端に立設された側板の長手方向に沿って複数の貫通孔を形成する。
【００１５】
また、前記支柱金具は、前記Ｌ字金具に対する取付用の取付孔が形成されたベースプレートと、該ベースプレートに立設された支柱部とを備える。このベースプレートは、前記貫通孔および前記取付孔に連通されたボルト軸部にナットを締結して前記Ｌ字金具に取り付けられる。したがって、前記ボルト軸部に連通される前記取付孔を変更することにより、前記支柱金具の取付位置を調整可能となる。
【発明の効果】
【００１６】
本発明によれば、アンテナ設置用の支持金具をパラペットに十分に固定することができる。
【図面の簡単な説明】
【００１７】
【図１】本発明の実施形態に係るアンテナ設置用の支持金具の斜視図。
【図２】同  Ｌ字金具同士の連結状態を示す斜視図。
【図３】同  押しボルト・押え板落下防止用の皿ボルトの取付状態を示す斜視図。
【図４】同  押え板の取付状態を示す斜視図
【図５】同  支柱金具の取付状態を示す斜視図。
【図６】同  支持金具をパラペットに取り付けた状態の斜視図。
【図７】（ａ）は金具本体のパラペット取付幅（２４０ｍｍ）の状態を示す側面図、（ｂ）は同パラペット取付幅（３６０ｍｍ）の状態を示す側面図。
【図８】（ａ）は比較例に矢印Ｐ方向の応力を加えた状態を示す側面図、（ｂ）は本実施形態に係るアンテナ用の支持金具に同応力を加えた状態を示す側面図。
【図９】（ａ）は支柱金具を支持金具の前側に取り付けた状態を示す側面図、（ｂ）は同支持金具の中央に取り付けた状態を示す側面図、（ｃ）は同支持金具の後側に取り付けた状態を示す側面図。
【図１０】特許文献１の固定枠の斜視図。
【発明を実施するための形態】
【００１８】
以下、本発明の実施形態に係るアンテナ設置用の支持金具を説明する。この支持金具は、主に建物の屋上にアンテナ（ＡＮＴ−Ｚ−Ｐ０４０−ＮＤ）を設置する際に屋上のパラペットに取り付けられて前記アンテナを支持する。
【００１９】
≪全体構成≫
図１〜図３に基づき前記支持金具の構成を説明する。ここでは前記支持金具３０は、図１に示すように、前記パラペットに固定される縦断面逆Ｕ字状の金具本体３１と、金具本体３１に立設されて前記アンテナが設置される支柱金具３２とを備えている。
【００２０】
（１）金具本体３１
金具本体３１は、一対のＬ字金具３３Ａ，３３Ｂと、両Ｌ字金具３３Ａ，３３Ｂを連結するボルト３４ａ・ナット３４ｂとを備えている。この各Ｌ字金具３３３３Ａ，３３Ｂは、図２に示すように、横断面Ｕ字状の水平部３５Ａ，３５Ｂと、水平部３５Ａ，３５Ｂの一端から垂直に折曲形成された下端部（脚部）３６Ａ，３６Ｂとを備え、水平部３５Ｂは水平部３５Ａの下側に連結されている。
【００２１】
この水平部３５Ａの長手方向は水平部３５Ｂよりも長く設定され、下端部３６Ａは下端部３６Ｂよりも高く設定されている。具体的には水平部３５Ａ，３５Ｂは横断面コ字状に形成され、底板３５ａには複数の連通孔３５ｃが等間隔に直列に形成されている。この両水平部３５Ａ，３５Ｂの連通孔３５ｃに連通されたボルト３４ａの軸部に座金を介してナット３４ｂを締結することで両Ｌ字金具３３Ａ，３３Ｂが連結されている。また、Ｌ字金具３３Ａの各側壁３５ｂには支柱金具３２を取り付ける四つの貫通孔３５ｄが等間隔に形成されている。
【００２２】
また、各下端部３６Ａ，３６Ｂは、横断面コ字状に形成され、左右の側板３８の外周には一対のナット３８ａが溶接により直列に連装され、底板３７には孔部４４と落下防止用ワイヤ取付用孔３７ａとが形成されている。ここでは両ナット３８ａは一定の間隔をおいて連装されている一方、孔部４４に挿通された皿ボルト４２の軸部にナット４３を締結することで押え板３９が取り付けられている。
【００２３】
この押え板３９は、図３に示すように、横長長方形状に形成され、両端部のナット３８ａに応じた位置に丸溝３９ａが形成されている。このとき各ナット３８ａに螺入された押えボルト４０の軸部先端が、丸溝３９ａに当たって両押え板３９がパラペットを把持し、金具本体３１が前記パラペットに固定されている。
【００２４】
（２）支柱金具３２
支柱金具３２は、図１に示すように、Ｌ字金具３３Ａに固定されるベースプレート４５と、ベースプレート４５の略中央部に立設された支柱部４６とを備えている。このベースプレート４５の両側端部４５ａは下方向に折曲形成され、Ｌ字金具３３Ａの貫通孔３５ｄと同じ間隔に形成された一対の取付孔４５ｂ（図５参照）を備えている。
【００２５】
この両取付孔４５ｂと任意に選択された一対の貫通孔３５ｄとに挿通されたボルト４８の軸部にナット４９を締結することでベースプレート４５がＬ字金具３３Ａに固定されている。なお、支柱部４６は、円柱状に形成され、上端付近には落下防止用ワイヤ取付孔４７が形成されている。
【００２６】
≪取付手順≫
以下、前記支持金具３０の前記パラペットへの取付手順を説明する。ここではパラペットＰ（図６参照）に前記支持金具３０を取り付けるものとする。この取り付けは、Ｌ字金具３３Ａ，３３Ｂの連結作業（図２）→押しボルト４０の取付作業（図３）→押え板３９の取付作業（図４）→支柱金具３２の取付作業（図５）→パラペットへの取付作業（図６）の順で実施される。
【００２７】
（１）Ｌ字金具３３Ａ，３３Ｂの連結作業
図２に基づきＬ字金具３３Ａ，３３Ｂの連結作業を説明する。まず、図２に示すように、Ｌ字金具３３Ａの水平部３５Ａの下側にＬ字金具３３Ｂの水平部３５Ｂを配置し、水平部３５Ａ,３５Ｂの底板３５ａを対向させる。
【００２８】
この状態のまま各水平部３５Ａ,３５Ｂの連通孔３５ｃ群からパラペットＰの厚さＬに応じた隣接する一対の連通孔３５ｃを選択し、選択された各連通孔３５ｃにボルト３４ａの軸部を連通する。ここで連通されたボルト３４ａの軸部に座金を介してナット３４ｂを締結し、両Ｌ字金具３３Ａ,３３Ｂが連結される。
【００２９】
（２）押しボルト４０の取付作業・押え板３９の取付作業
まず、図３に基づき押しボルト４０の取付作業を説明する。この取付作業に際しては両下端部３６Ａ,３６Ｂの各ナット３８ａに対して、緩み止め用ナット５０ａ，ばね座金５０ｂを介して押しボルト４０の軸部を螺着させる。
【００３０】
このとき押え板３９の中央孔３９ｂに皿ボルト４２の軸部を挿通し、挿通された皿ボルト４２の軸部にナット５１を締結することで皿ボルト４２を押え板３９に取り付ける。
【００３１】
つぎに図４に基づき押え板３９の取付作業を説明すれば、皿ボルト４２の軸部を各下端部３６Ａ,３６Ｂの孔部４４に挿通し、挿通された皿ボルト４２の軸部にナット４３を締結し、各押え板３９を各下端部３６Ａ,３６Ｂに取り付ける。
【００３２】
（３）支柱金具３２の取付作業
図５に基づき支柱金具３２の取付作業を説明する。この取付作業は、Ｌ字金具３３Ａの両側板３５ｂに形成された貫通孔３５ｄ群から支柱金具３２の取付位置に応じた四つの貫通孔３５ｄを選択する。ここでは各側板３５ｂ中で隣接し、かつ両側板３５ｂ間にて対向する貫通孔３５ｄが選択される。
【００３３】
このように選択された各貫通孔３５ｄとベースプレート４５の取付孔４５ｂとにボルト４８の軸部を挿通し、挿通されたボルト４８の軸部に座金を介してナット４９を締結し、支柱金具３２をＬ字金具３３Ａに取り付ける。
【００３４】
（４）パラペットへの取付作業
図６に基づきパラペットへの取付作業を説明する。この前記支持金具３０の取り付けに際しては、まず両下端部３６Ａ,３６Ｂ間の開口部をパラペットＰの長手方向に対して垂直方向（Ｙ−Ｙ方向）に配置する。
【００３５】
つぎに押しボルト４０の軸部先端が押え板３９の丸溝３９ａを向くように該押え板３９の位置を調整し、各押しボルト４０の軸部を各脚部３６Ａ,３６Ｂに連装された各ナット３８ａに螺入させていく。
【００３６】
これにより押えボルト４０の軸部先端が丸溝３９ａに当たって左右の押え板３９によりパラペットＰが締め付けられる。その結果、パラペットＰが両押え板３９に把持され、前記支持金具３０がパラペットＰに固定されている。また、各緩み止め用ナット５０ａを、ばね座金５０ｂが効く程度に押えボルト４０の軸部に締め付け、その後に皿ボルト４２にナット４３を二連装で締め付ける。
【００３７】
その後、落下防止用ワイヤ５９を取付孔４７，３７ａに挿通して建物の屋上などに埋設されたアンカーボルト６０に連結し、支柱金具３２にアンテナ（ＡＮＴ−Ｚ−Ｐ０４０−ＮＤ）を設置して作業を終了する。この前記支持金具３０によれば、次の効果（Ａ）〜（Ｄ）を得ることができる。
【００３８】
（Ａ）すなわち、ボルト３４ａの軸部を連通する両連通孔３５ｃを変更すれば、下端部３６Ａ,３６Ｂ間が伸縮するため、左右の押え板３９間の距離を調整することができる。この点を図７に基づき説明する。
【００３９】
図７（ａ）は、両下端部３６Ａ,３６Ｂ間を調整して両押え板３９間を距離Ｌ１（２４０ｍｍ）に設定した状態を示している。また、図７（ｂ）は、両下端部３６Ａ,３６Ｂ間を調整して両押え板３９間を距離Ｌ２（３６０ｍｍ）に設定した状態を示している。
【００４０】
このようにボルト３４ａの軸部を連通する連通孔３５ｃを選択することで両押え板３９間の距離を距離Ｌ１〜距離Ｌ２に調整することが可能である。したがって、前記支持金具３０によれば、厚さＬ（２４０ｍｍ〜３６０ｍｍ）のパラペットに対応でき、この点でアンテナの設置範囲を拡大することができる。
【００４１】
（Ｂ）前記支持金具３０によれば、図６に示すように、各押しボルト４０の軸部を連装された各ナット３８ａに螺入させていくと、左右の押え板３９にてパラペットＰが把持されるため、特許文献１よりもパラペットＰの把持力が向上している。
【００４２】
すなわち、特許文献１は、片側からボルト２１をねじ孔に螺入していくことで圧接板２ａをパラペット側に押し出し、圧接板２ａ，２ｂ間でパラペットを挟み込んでいる。
【００４３】
これに対して前記支持金具３０は、パラペットＰの把持力を確実に発揮させるため、押しボルト４０を両側から締め付けながら挟み込んでいる。これにより片側のみでは不十分であったパラペットＰの把持力を向上させることができ、前記支持金具３０をパラペットＰに十分かつ確実に固定することができ、安全性が向上している。
【００４４】
このとき前記支持金具３０によれば、押しボルト４０が螺入するナット３８ａが二連装されているため、荷重が加わった時に押しボルト４０の芯軸のずれを防止することもできる。この点を図８に基づき説明する。
【００４５】
図８（ａ）は比較例に係る支持金具３０´の芯軸ずれを示している。この支持金具３０´は、金具本体３１の底板３７の両端部にそれぞれ一つのナット３８ｂが溶接により単装され、底板３７に各ナット３８ｂの雌ねじ孔と連通する孔部５２が形成されている。ここでは各ナット３８ｂに押えボルト４０を螺入させれば、押えボルト４０が孔部５２を通って左右の押え板３９を押し込むため、該両押え板３９によりパラペットＰが挟み込まれる。
【００４６】
ところが、支持金具３０´にパラペットの垂直方向（図６中のＸ−Ｘ方向）の応力Ｓを加えた場合、下端部３３Ｂ側の押えボルト４０に矢印Ｓ１方向の芯軸ずれが発生し、下端部３３Ａ側の押えボルト４０に矢印Ｓ２方向の芯軸ずれが発生する。これにより支持金具３０´の金具本体３１、即ち挟込部に図中の二点鎖線に示す歪みが生じ、パラペットＰの把持力が不十分となるおそれがある。
【００４７】
一方、図８（ｂ）は、前記支持金具３０に図８（ａ）と同様に前記応力Ｓを加えた状態を示している。ここでは側板３８の外周にナット３８ａが直列に連装されているため、同図中の二点鎖線に示すように、矢印Ｓ１，Ｓ２方向の芯軸ずれが抑制され、挟込部の歪みが減少している。
【００４８】
すなわち、押えボルト４０の軸部が両ナット３８ａに支持されるため、比較例よりも芯軸ずれが抑制される。このとき両ナット３８ａ間の距離が大きくなるにしたがって押えボルト４０の芯軸ずれが小さくなる。これにより一方のナット３８ａが押え板３９に近づきパラペットＰの把持を安定させることができる。
【００４９】
【表１】
2018186440.tif 000003
【００５０】
【表２】
2018186440.tif 000004
【００５１】
【表３】
2018186440.tif 000005
【００５２】
【表４】
2018186440.tif 000006
【００５３】
表１および表２は前記支持金具３０の風荷重に対する強度試験の結果を示し、表３は前記比較例に係る支持金具３０´の同試験の結果を示している。この表１は、表４の「適応風速・設置高さ」におけるパラペット方向（図６中のＸ−Ｘ方向）の歪量を示している。また、表２および表３は、表４の「適応風速・設置高さ」におけるパラペット垂直方向（図６中のＹ−Ｙ方向）の歪み量を示している。
【００５４】
ここでは押え板３９に図示省略のダイアルゲージを設置して「挟込部の歪み量」を計測し、支柱部４６に同ダイアルゲージを設置して「支持支柱部の歪み量」を計測した。また、支柱部４６に表１〜表３の積載荷重を加えて「載荷時の歪み量」を計測し、同積載荷重を除去して「除荷時の歪み量」を計測した。
【００５５】
この表１および表２によれば、表４の区分Ａの「適応風速・設置高さ」において前記各歪み量が許容範囲であることが示され、前記支持金具３０におけるパラペットＰの把持力向上が確認された。ここでは除荷時に挟込部の歪み量が「０．００」に復元した場合を許容範囲（判定＝ＯＫ）としている。
【００５６】
また、表１，２によれば前記支持金具３０の歪み量（表１，２）は、表３に示す前記比較例の歪み量よりも小さいことが示されている。したがって、側板３８の外周にナット３８ａを直列に連装すれば、押えボルト４０の芯軸ずれを小さくできることが確認された。
【００５７】
（Ｃ）前記支持金具３０によれば、両側板３５ｂの貫通孔３５ｄ群からボルト４８の軸部を挿通する四つの貫通孔３５ｄを支柱金具３２の取付位置に応じて選択することで支柱金具３２の取付位置を調整することができる。
【００５８】
例えば図９（ａ）に示すように、前記貫通孔３５ｄ群からＬ字金具３３Ａ側の四つの貫通孔３５ｄを選択すれば、水平部３５Ａの前側（同図中のＰ側）に支柱金具３２を取り付けることができる。
【００５９】
また、図９（ｂ）に示すように、前記貫通孔３５ｄ群から水平部３５Ａの中央に配置された四つの貫通孔３５ｄを選択すれば、水平部３５Ａの水平方向（同図中のＰ−Ｑ方向）の中央に支持金具３２を取り付けることができる。
【００６０】
さらに図９（ｃ）に示すように、前記貫通孔３５ｄ群からＬ字金具３３Ｂ側の四つの貫通孔３５ｄを選択すれば、水平部３５Ａの後側（同図中のＱ側）に支柱金具３２を取り付けることができる。
【００６１】
これによりアンテナ側の可変金具の長さやアンテナの取付方向などの周囲の状況などに応じてアンテナの取付位置を調整することができ、アンテナが建物の敷地境界線を越えることを防止することができる。すなわち、前記支持金具３０をパラペットＰに取り付けた後にアンテナが敷地境界線を越える事態が判明しても、図９（ａ）〜（ｃ）に示すように、支柱金具３２の取付位置を調整することで敷地境界内にアンテナをおさめることが可能である。
【００６２】
（Ｄ）前記支持金具３０の取付孔４７，３７ａには落下防止用ワイヤ５９が挿通され、該落下防止用ワイヤ５９は建物の屋上に埋設されたアンカーボルト６０に連結されている。したがって、前記支持金具３０によれば、地震などの災害時にパラペットＰから外れても、落下防止ワイヤ５９により屋上からの落下を防止することができ、この意味でも安全性が向上している。
【００６３】
なお、本発明は、上記実施形態に限定されるものではなく、各請求項に記載された範囲内で変形して実施することができる。例えば落下防止用ワイヤ５９は、建物の既設固定物などに連結することができ、また支柱金具３２の取付に用いられなかった貫通孔３５ｄに挿通して使用してもよい。
【００６４】
さらにナット３８ａは、各側板３８の外周に複数個が連装（二連装には限定されない。）されていることが好ましいが、前記比較例のように各側板３８に一つのナット３８ａを単装してもよいものとする。この場合には押えボルト１０の芯軸ずれが前記支持金具３０よりも大きくなるものの、左右の押え板３９による把持力を向上させる効果を得ることができる。
【符号の説明】
【００６５】
３０…アンテナ設置用の支持金具
３１…金具本体
３２…支柱金具
３３Ａ，３３Ｂ…Ｌ字金具
３４ａ，４８…ボルト
３４ｂ，４９…ナット
３５Ａ，３５Ｂ…水平部
３５ｃ…連通孔
３５ｄ…貫通孔
３６Ａ，３６Ｂ…下端部
３８ａ…ナット
３９…押え板
４０…押しボルト
４５…ベースプレート
４５ｂ…取付孔
４６…支柱部
【図１】
2018186440.tif 000007
【図２】
2018186440.tif 000008
【図３】
2018186440.tif 000009
【図４】
2018186440.tif 000010
【図５】
2018186440.tif 000011
【図６】
2018186440.tif 000012
【図７】
2018186440.tif 000013
【図８】
2018186440.tif 000014
【図９】
2018186440.tif 000015
【図１０】
2018186440.tif 000016